(57)【要約】【課題】  外部記憶媒体にすでに記憶されたコンテンツデータの関連情報を自動的に付加する。【解決手段】  外部記憶媒体の接続を検出する接続検出部１３２と；外部記憶媒体に記憶されたコンテンツデータに対応する属性情報を取得する属性情報取得部１３４と；コンテンツデータ固有のユニーク識別情報を生成することをユニーク識別情報生成部に要求するユニーク識別情報要求部１４０と；ユニーク識別情報に対応するコンテンツ関連情報を，当該ユニーク識別情報に対応するコンテンツ関連情報を提供するサーバ装置と通信可能な通信部に対して要求するコンテンツ関連情報要求部１４２と；通信部１２８に提供されたコンテンツ関連情報を，コンテンツデータと関連付けて外部記憶媒体に記憶する関連情報記憶制御部１３８と；を備える。【選択図】    図８
2006277307.tif 000002
【特許請求の範囲】
【請求項１】
外部記憶媒体の接続を検出する接続検出部と；
前記接続検出部による検出結果に応じて，前記外部記憶媒体に記憶されたコンテンツデータに対応する属性情報を取得する属性情報取得部と；
前記属性情報及び前記コンテンツデータに基づき，前記コンテンツデータ固有のユニーク識別情報を生成することをユニーク識別情報生成部に要求するユニーク識別情報要求部と；
前記ユニーク識別情報に対応するコンテンツ関連情報を，当該ユニーク識別情報に対応するコンテンツ関連情報を提供するサーバ装置と通信可能な通信部に対して要求するコンテンツ関連情報要求部と；
前記コンテンツ関連情報要求部の要求により，前記通信部に提供されたコンテンツ関連情報を，前記コンテンツデータと関連付けて前記外部記憶媒体に記憶する関連情報記憶制御部と；
を備えることを特徴とする，情報処理装置。
【請求項２】
前記外部記憶媒体に記憶されたコンテンツデータが圧縮コンテンツデータである場合，
前記圧縮コンテンツデータを復号する復号部と；
前記圧縮コンテンツデータを取得し，前記復号部に圧縮コンテンツデータを復号させて，復号された原コンテンツデータを取得する復号制御部と；を備え，
前記ユニーク識別情報要求部は，前記属性情報および前記原コンテンツデータに基づき，前記コンテンツデータ固有のユニーク識別情報を生成することを前記ユニーク識別情報生成部に要求することを特徴とする，請求項１に記載の情報処理装置。
【請求項３】
前記属性情報取得部は，前記外部記憶媒体から，前記コンテンツデータに対応する少なくともデータ長情報およびデータ変換情報を取得し，
前記復号制御部は，前記データ長情報および前記データ変換情報に応じたチャネル数およびサンプリング周波数を決定し，前記復号部に対して，前記圧縮コンテンツデータを該チャネル数およびサンプリング周波数の原コンテンツデータに復号させることを特徴とする，請求項２に記載の情報処理装置。
【請求項４】
前記外部記憶媒体は，携帯再生装置に含まれていることを特徴とする，請求項１に記載の情報処理装置。
【請求項５】
前記コンテンツデータをコンテンツデータ記憶部に記憶するコンテンツデータ記憶制御部を備え，
前記コンテンツデータ記憶制御部により前記コンテンツデータがコンテンツデータ記憶部に記憶されている間に，
前記ユニーク識別情報要求部の要求により前記ユニーク識別情報が生成され，前記コンテンツ関連情報要求部の要求により前記ユニーク識別情報に対応するコンテンツ関連情報が前記通信部に提供されることを特徴とする，請求項１に記載の情報処理装置。
【請求項６】
前記コンテンツデータ記憶制御部は，前記コンテンツデータを圧縮して，圧縮コンテンツデータをコンテンツデータ記憶部に記憶し，
前記関連情報記憶制御部は，前記ユニーク識別情報要求部の要求により前記通信部に提供されたコンテンツ関連情報を，前記コンテンツデータと関連付けて前記外部記憶媒体に記憶すると共に，前記コンテンツデータ記憶制御部により記憶された前記圧縮コンテンツデータと関連付けて前記コンテンツデータ記憶部に記憶することを特徴とする，請求項５に記載の情報処理装置。
【請求項７】
外部記憶媒体の接続を検出するステップと；
前記外部記憶媒体に記憶されたコンテンツデータに対応する属性情報を取得するステップと；
前記属性情報及び前記コンテンツデータに基づき，前記コンテンツデータ固有のユニーク識別情報を生成することをユニーク識別情報生成部に要求するステップと；
前記ユニーク識別情報に対応するコンテンツ関連情報を，当該ユニーク識別情報に対応するコンテンツ関連情報を提供するサーバ装置と通信可能な通信部に対して要求するステップと；
前記通信部に提供されたコンテンツ関連情報を，前記コンテンツデータと関連付けて前記外部記憶媒体に記憶するステップと；
を含むことを特徴とする，情報処理方法。
【請求項８】
情報処理装置をして，
外部記憶媒体の接続を検出する接続検出処理と；
前記接続検出処理による検出結果に応じて，前記外部記憶媒体に記憶されたコンテンツデータに対応する属性情報を取得する属性情報取得処理と；
前記属性情報及び前記コンテンツデータに基づき，前記コンテンツデータ固有のユニーク識別情報を生成することをユニーク識別情報生成部に要求するユニーク識別情報要求処理と；
前記ユニーク識別情報に対応するコンテンツ関連情報を，当該ユニーク識別情報に対応するコンテンツ関連情報を提供するサーバ装置と通信可能な通信部に対して要求するコンテンツ関連情報要求処理と；
前記コンテンツ関連情報要求部の要求により，前記通信部に提供されたコンテンツ関連情報を，前記コンテンツデータと関連付けて前記外部記憶媒体に記憶する関連情報記憶制御処理と；
を実行することを特徴とする，コンピュータプログラム。
【発明の詳細な説明】
【技術分野】
【０００１】
本発明は，接続された外部記憶媒体に記憶されたコンテンツデータを読み取る情報処理装置に関し，特に，外部記憶媒体に記憶されたコンテンツデータに対応するコンテンツ関連情報を取得して外部記憶媒体に記憶する情報処理装置に関する。
【背景技術】
【０００２】
従来，音楽コンテンツや映像コンテンツなどのデジタルコンテンツを，そのコンテンツが格納されているサーバからユーザが所有するＰＣ（Ｐｅｒｓｏｎａｌ  Ｃｏｍｐｕｔｅｒ）等の情報端末にダウンロードさせ，その情報端末上でコンテンツを利用させるコンテンツ提供サービスが行われている。また，ダウンロードされたコンテンツに関連した情報，例えば，音楽コンテンツの曲名やアーティスト名などのコンテンツ関連情報を提供するサービスも行われている。例えば，特許文献１には，テレビジョン放送やラジオ放送を視聴している際に興味を持った音楽の関連情報を，外出先などにおいて取得することが可能な方法が開示されている。
【０００３】
また，コンテンツ関連情報を提供するサービスにおいては，コンテンツデータをダウンロードする際に，そのコンテンツデータの関連情報も提供し，コンテンツデータとともに携帯型のポータブルデバイス（Ｐｏｒｔａｂｌｅ  Ｄｅｖｉｃｅ）や情報記憶媒体などに記憶することが可能となっている。
【０００４】
【特許文献１】特開平１１−５５２０１号公報
【発明の開示】
【発明が解決しようとする課題】
【０００５】
しかし，上記コンテンツコンテンツ関連情報サービスを利用せずに，コンテンツデータを携帯型のポータブルデバイス（Ｐｏｒｔａｂｌｅ  Ｄｅｖｉｃｅ）や情報記憶媒体に記憶した場合には，ユーザ入力によりコンテンツ関連情報を付加しなければならないという問題があった。
【０００６】
そこで，本発明は，このような問題に鑑みてなされたもので，その目的とするところは，外部記憶媒体に既に記憶されたコンテンツデータの関連情報を，ユーザの入力なくとも付加することが可能な新規かつ改良された，情報処理装置，情報処理方法およびコンピュータプログラムを提供することにある。
【課題を解決するための手段】
【０００７】
上記課題を解決するために，本発明のある観点によれば，外部記憶媒体の接続を検出する接続検出部と；接続検出部による検出結果に応じて，外部記憶媒体に記憶されたコンテンツデータに対応する属性情報を取得する属性情報取得部と；属性情報及びコンテンツデータに基づき，コンテンツデータ固有のユニーク識別情報を生成することをユニーク識別情報生成部に要求するユニーク識別情報要求部と；ユニーク識別情報に対応するコンテンツ関連情報を，当該ユニーク識別情報に対応するコンテンツ関連情報を提供するサーバ装置と通信可能な通信部に対して要求するコンテンツ関連情報要求部と；コンテンツ関連情報要求部の要求により，通信部に提供されたコンテンツ関連情報を，コンテンツデータと関連付けて外部記憶媒体に記憶する関連情報記憶制御部と；を備えることを特徴とする，情報処理装置が提供される。
【０００８】
上記属性情報とは，コンテンツデータのデータ属性を示す情報であって，コンテンツデータのデータ長およびデータ変換情報などの情報である。データ変換情報とは，信号やデータを符号化／復号化する方法を表す情報である。上記ユニーク識別情報とは，コンテンツデータから生成される所定サイズの文字列で表すことが可能なコンテンツデータ固有の識別情報であって，コンテンツデータの一部のハッシュ値などである。
【０００９】
上記コンテンツ関連情報とは，上記コンテンツデータに関連する情報であって，例えばコンテンツデータに含まれる各楽曲の曲名，アーティスト名，アルバム名などである。また，各楽曲のジャンル，ムード，テンポ，リリース年月日，人気の度合い等の情報であってもよい。上記サーバ装置において，上記ユニーク識別情報とコンテンツ関連情報が関連付けられており，コンテンツデータ固有のユニーク識別情報から，コンテンツ関連情報を取得することができる。
【００１０】
上記構成により，情報処理装置において，コンテンツ関連情報を取得するためのユニーク識別情報を生成して，サーバ装置よりコンテンツ関連情報を取得することができる。また，上記接続検出部より外部記憶媒体の接続を検出して，外部記憶媒体に記憶されたコンテンツデータの属性情報を取得し，取得したコンテンツデータとコンテンツデータの属性情報に基づいてユニーク識別情報を生成して，ユニーク識別情報に対応するコンテンツ関連情報を取得することができる。これにより，外部記憶媒体にコンテンツデータのみ記憶されている場合に，ユーザにより入力等がなされなくとも，コンテンツ関連情報を取得して，コンテンツデータと関連付けて外部記憶媒体に記憶することが可能となる。
【００１１】
また，上記外部記憶媒体に記憶されたコンテンツデータが圧縮コンテンツデータである場合，圧縮コンテンツデータを復号する復号部と；圧縮コンテンツデータを取得し，復号部に圧縮コンテンツデータを復号させて，復号された原コンテンツデータを取得する復号制御部と；を備え，上記ユニーク識別情報要求部は，属性情報および原コンテンツデータに基づき，コンテンツデータ固有のユニーク識別情報を生成することをユニーク識別情報生成部に要求するようにしてもよい。
【００１２】
また，上記属性情報取得部は，外部記憶媒体から，コンテンツデータに対応する少なくともデータ長情報およびデータ変換情報を取得し，復号制御部は，データ長情報およびデータ変換情報に応じたチャネル数およびサンプリング周波数を決定し，復号部に対して，圧縮コンテンツデータを該チャネル数およびサンプリング周波数の原コンテンツデータに復号させるようにしてもよい。
【００１３】
上記構成により，外部記憶媒体に記憶されたコンテンツデータが圧縮されている場合においても，圧縮コンテンツデータを読み取って復号することができる。また，圧縮コンテンツデータを，コンテンツデータに含まれるデータ長情報およびデータ変換情報に応じて復号することができる。これにより，外部記憶媒体に記憶されたコンテンツデータが圧縮されている場合においても，外部記憶媒体が情報処理装置に接続されると，外部記憶媒体に記憶された圧縮コンテンツデータを復号して，復号したコンテンツデータからユニーク識別情報を生成してコンテンツ関連情報を取得することが可能となる。つまり，ユーザにより外部記憶媒体を情報処理装置に接続するという操作がなされるだけで，外部記憶媒体に記憶されたコンテンツデータにコンテンツ関連情報が付加されることとなる。また，上記外部記憶媒体は，携帯再生装置に含まれていてもよい。
【００１４】
上記コンテンツデータをコンテンツデータ記憶部に記憶するコンテンツデータ記憶制御部を備え，コンテンツデータ記憶制御部によりコンテンツデータがコンテンツデータ記憶部に記憶されている間に，ユニーク識別情報要求部の要求によりユニーク識別情報が生成され，コンテンツ関連情報要求部の要求によりユニーク識別情報に対応するコンテンツ関連情報が前記通信部に提供されるようにしてもよい。
【００１５】
上記コンテンツデータ記憶制御部は，コンテンツデータを圧縮して，圧縮コンテンツデータをコンテンツデータ記憶部に記憶し，関連情報記憶制御部は，ユニーク識別情報要求部の要求により通信部に提供されたコンテンツ関連情報を，コンテンツデータと関連付けて外部記憶媒体に記憶すると共に，コンテンツデータ記憶制御部により記憶された圧縮コンテンツデータと関連付けてコンテンツデータ記憶部に記憶するようにしてもよい。
【００１６】
上記構成により，外部記憶媒体に記憶されているコンテンツデータと，コンテンツデータに対応するコンテンツ関連情報とを情報処理装置に備わるコンテンツデータ記憶部に記憶することにより，外部記憶媒体と情報処理装置に記憶されたコンテンツに関連する情報について同期をとることができる。例えば，情報処理装置がネットワークを介してサーバ装置に接続する際に，コンテンツデータ記憶部に記憶されたコンテンツ関連情報が最新の情報となるように更新するようにする。そして，外部記憶媒体を情報処理装置に接続した際に，情報処理装置により外部記憶媒体に記憶されたコンテンツ関連情報が最新の情報に更新するようにしてもよい。
【００１７】
上記課題を解決するために，本発明の別の観点によれば，外部記憶媒体の接続を検出するステップと；外部記憶媒体に記憶されたコンテンツデータに対応する属性情報を取得するステップと；属性情報及び前記コンテンツデータに基づき，コンテンツデータ固有のユニーク識別情報を生成することをユニーク識別情報生成部に要求するステップと；ユニーク識別情報に対応するコンテンツ関連情報を，当該ユニーク識別情報に対応するコンテンツ関連情報を提供するサーバ装置と通信可能な通信部に対して要求するステップと；通信部に提供されたコンテンツ関連情報を，コンテンツデータと関連付けて外部記憶媒体に記憶するステップと；を含むことを特徴とする，情報処理方法が提供される。
【００１８】
上記課題を解決するために本発明の別の観点によれば，情報処理装置をして，外部記憶媒体の接続を検出する接続検出処理と；接続検出処理による検出結果に応じて，外部記憶媒体に記憶されたコンテンツデータに対応する属性情報を取得する属性情報取得処理と；属性情報及び前記コンテンツデータに基づき，コンテンツデータ固有のユニーク識別情報を生成することをユニーク識別情報生成部に要求するユニーク識別情報要求処理と；ユニーク識別情報に対応するコンテンツ関連情報を，当該ユニーク識別情報に対応するコンテンツ関連情報を提供するサーバ装置と通信可能な通信部に対して要求するコンテンツ関連情報要求処理と；コンテンツ関連情報要求部の要求により，通信部に提供されたコンテンツ関連情報を，コンテンツデータと関連付けて外部記憶媒体に記憶する関連情報記憶制御処理と；を実行することを特徴とする，コンピュータプログラムが提供される。
【００１９】
また，上記プログラムを記録した，コンピュータにより読み取り可能な記憶媒体が提供される。ここで，プログラムはいかなるプログラム言語により記述されていてもよい。また記憶媒体としては，例えば，ＣＤ−ＲＯＭ，ＤＶＤ−ＲＯＭ，フレキシブルディスクなど，プログラムを記憶可能な記憶媒体として現在一般に用いられている記憶媒体，あるいは将来用いられるいかなる記憶媒体をも採用することができる。
【発明の効果】
【００２０】
以上説明したように本発明によれば，外部記憶媒体に既に記憶されたコンテンツデータの関連情報を，ユーザの入力なくとも付加することができ，ユーザの利便性を向上することが可能となる。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
まず，携帯型のポータブルデバイス（Ｐｏｒｔａｂｌｅ  Ｄｅｖｉｃｅ；以下ＰＤという。）に記憶されたコンテンツデータ，または情報処理装置に記憶されたコンテンツデータに対応するコンテンツ関連情報を提供することが可能なコンテンツ関連情報提供システムの概要について説明する。
【００２３】
＜１．コンテンツ関連情報提供システムの概要＞
本実施形態において処理対象となるコンテンツデータは，例えば，音楽，講演，ラジオ番組等の音声（Ａｕｄｉｏ）コンテンツデータや，映画，テレビジョン番組，ビデオプログラム，写真，絵画，図表等を構成する静止画若しくは動画からなる映像（Ｖｉｄｅｏ）コンテンツデータ，電子図書（Ｅ−ｂｏｏｋ），ゲーム，ソフトウェアなど，任意のコンテンツデータであってよい。以下では，コンテンツデータとして，外部記憶媒体に記憶して再生することが可能な音楽コンテンツデータの例を挙げて説明するが，本発明はかかる例に限定されない。本実施形態においては，音楽コンテンツデータをコンテンツデータとも称する。
【００２４】
コンテンツ関連情報は，上記コンテンツデータに関連する情報であって，例えば，コンテンツデータに含まれる各楽曲の曲名，アーティスト名，アルバム名などである。また，各楽曲のジャンル，ムード，テンポ，リリース年月日，人気の度合い等の情報でもよい。
【００２５】
上記コンテンツ関連情報を提供するサービスでは，コンテンツデータを識別する情報に基づいて，そのコンテンツデータのコンテンツ関連情報を提供することができる。コンテンツデータを識別する情報とは，コンテンツ関連情報を提供するサービスにおいてコンテンツデータを一意に識別することが可能な情報である。例えば，コンテンツデータの波形解析データからコンテンツデータを一意に識別する情報が生成され，その情報に基づいてコンテンツ関連情報を提供することが可能となる。波形解析データとは，アナログ音源を一定時間ごとに数値化し，量子化したデータである。記憶されたデジタルデータの品質は，１秒間に何回数値化するかと，データを何ビットの数値で表現するかとで決まる。１秒間に数値化される回数をサンプリング周波数といい，データを表現するビット数を量子化ビットという。例えば，音楽データが記憶されている音楽ＣＤにおいては，サンプリング周波数４４．１ｋＨｚ（１秒間に４４１００回の数値化），量子化１６ビット（０〜６５５３５の６５５３６段階で音声データを表現）のＰＣＭ（Ｐｕｌｓｅ  Ｃｏｄｅ  Ｍｏｄｕｌａｔｉｏｎ）方式が利用されている。アナログ音源をＰＣＭ方式によりデジタル音源に変換されたコンテンツデータをＰＣＭデータという。
【００２６】
ＰＣＭデータは楽曲毎に異なるため，例えば，ＰＣＭデータの一部を抽出し，抽出されたＰＣＭデータのハッシュ値を楽曲データの識別情報としてもよい。これにより，各楽曲または各コンテンツデータの識別情報を８００バイト程度の文字列で表すことが可能となり，楽曲毎の関連情報を取得することができるようになる。本実施形態では，ＰＣＭデータから生成される８００バイト程度の文字列で表すことが可能な識別情報を，コンテンツデータ固有のユニーク識別情報という。
【００２７】
コンテンツ関連情報提供サービスにおいて，上記ユニーク識別情報とコンテンツ関連情報が関連付けられていれば，コンテンツデータ固有のユニーク識別情報から，コンテンツ関連情報を取得することが可能となる。本実施形態においては，外部記憶媒体に記憶されたコンテンツデータや情報処理装置に記憶されたコンテンツデータからユニーク識別情報を生成して，生成したユニーク識別情報に対応するコンテンツ関連情報を取得することが可能となる。以上，コンテンツ関連情報提供システムの概要を説明した。次に本実施形態にかかるコンテンツ関連情報提供システム１０の全体構成について説明する。
【００２８】
＜２．コンテンツ関連情報提供システムの全体構成＞
図１は，コンテンツ関連情報提供システム１０の全体構成を示すブロック図である。図１に示したように，コンテンツ関連情報提供システム１０は，情報処理装置１００，外部記憶媒体を備えたＰＤ１５０，コンテンツ関連情報提供サーバ２００，ネットワーク３００などを備える。
【００２９】
情報処理装置１００は，コンテンツを利用するための情報処理装置であり，例えばコンテンツの再生，保存，移動，結合，分割，変換，複製，貸出，返却などの処理を実行する機能を有する。また，該情報処理装置は，上述したＰＣＭデータからユニーク識別情報を生成して，生成したユニーク識別情報に基づいてコンテンツ関連情報を取得する機能を有する。
【００３０】
ＰＣＭデータは，上述したように，アナログ音源をサンプリングして量子化したデジタルデータであり，情報処理装置１００に備わる記憶装置に記憶することができる。該記憶装置に多くのコンテンツデータを記憶するために，ＰＣＭデータを圧縮して，記憶することも可能である。例えば，ＰＣＭデータをＡＴＲＡＣ３（Ａｄｖａｎｃｅｄ  Ｔｒａｎｓｆｏｒｍ  Ａｃｏｕｓｔｉｇ  Ｃｏｄｉｎｇ）方式，またはＭＰ３（ＭＰＥＧ  Ａｕｄｉｏ  Ｌａｙｅｒ−３）方式などの圧縮符号化方式で圧縮することにより，音質を変えずに１０分の１程度のデータ量に圧縮することができる。このような圧縮処理を用いて，音楽ＣＤ，ビデオＤＶＤ，ソフトウェア用ＣＤ−ＲＯＭ等の記憶媒体に記録されているデジタルコンテンツ（音声データや映像データ等）を抽出し，情報処理装置で処理可能なファイル形式に変換して，ストレージ装置やリムーバル記憶媒体に記憶することができる。また，コンテンツデータを記憶する際に，上述したコンテンツ関連情報とともに記憶することもできる。
【００３１】
ＰＤ１５０は，外部記憶媒体を備え，外部記憶媒体に記憶されたコンテンツデータを再生可能な携帯型のポータブルデバイスである。ＰＤ１５０は，ＵＳＢコントローラなどの通信装置を介して情報処理装置１００と接続され，コンテンツデータ等各種情報を送受信することができる。ＰＤ１５０に備わる外部記憶媒体に，圧縮されたコンテンツデータと，コンテンツデータに対応するコンテンツ関連情報とが記憶される。
【００３２】
コンテンツ関連情報提供サーバ２００は，本発明におけるコンテンツ関連情報を提供するサーバ装置の一例である。コンテンツ関連情報提供サーバ２００は，コンテンツデータに関連する情報である，各楽曲の曲名，アーティスト名，アルバム名，各楽曲のジャンル，ムード，テンポ，リリース年月日，人気の度合い等の情報を提供する機能を有する。コンテンツ関連情報提供サーバ２００は，コンテンツデータのコンテンツ関連情報と，コンテンツデータ固有のユニーク識別情報とを関連付けて記憶している。情報処理装置１００から送信されたユニーク識別情報から，そのユニーク識別情報に関連付けられたコンテンツ関連情報を検索して，情報処理装置１００に返信する。
【００３３】
ネットワーク３００は，上記情報処理装置１００とコンテンツ関連情報提供サーバ２００とを通信可能に接続する通信回線網である。このネットワーク３００は，例えば，インターネット，電話回線網，衛星通信網等の公衆回線網や，ＷＡＮ，ＬＡＮ，ＩＰ−ＶＰＮ等の専用回線網などで構成されており，有線・無線を問わない。
【００３４】
本実施形態にかかるコンテンツ関連情報提供システムにおいては，情報処理装置１００において取得されたコンテンツ関連情報が，コンテンツデータとともに，ＰＤ１５０に備わる外部記憶媒体に記憶される。コンテンツ関連情報が取得されずにコンテンツデータのみ外部記憶媒体に記憶された場合には，ユーザにより，コンテンツ関連情報を入力したり，ＰＤ１５０を情報処理装置１００に接続して，ユーザにより情報処理装置１００を操作したりしない限り，コンテンツデータにコンテンツ関連情報付加することができない。しかし，本実施形態にかかるコンテンツ関連情報提供システム１０においては，すでにＰＤ１５０に備わる外部記憶媒体に記憶されたコンテンツデータのコンテンツ関連情報を取得して，ユーザが入力することなく，コンテンツデータをコンテンツ関連情報に付加することが可能となる。
【００３５】
以上，コンテンツ関連情報提供システム１０の全体構成について説明した。次に，本実施形態にかかる情報処理装置１００およびＰＤ１５０のハードウェア構成例について説明する。
【００３６】
＜３．情報処理装置のハードウェア構成＞
まず，図２に基づいて，本実施形態にかかる情報処理装置１００のハードウェア構成について説明する。なお，図２は，本実施形態にかかる情報処理装置１００のハードウェア構成例を概略的に示すブロック図である。
【００３７】
図２に示すように，情報処理装置１００は，例えばＣＰＵ（Ｃｅｎｔｒａｌ  Ｐｒｏｃｅｓｓｉｎｇ  Ｕｎｉｔ）１０１と，ＲＯＭ（Ｒｅａｄ  Ｏｎｌｙ  Ｍｅｍｏｒｙ）１０２と，ＲＡＭ（Ｒａｎｄｏｍ  Ａｃｃｅｓｓ  Ｍｅｍｏｒｙ）１０３と，ホストバス１０４と，ブリッジ１０５と，外部バス１０６と，インタフェース１０７と，入力装置１０８と，出力装置１１０と，ストレージ装置（ＨＤＤ）１１１と，ドライブ１１２と，接続ポート１１４と，通信装置１１５とを備える。
【００３８】
ＣＰＵ１０１は，演算処理装置および制御装置として機能し，ＲＯＭ１０２またはＨＤＤ１１１に格納された各種プログラムに従って動作し，情報処理装置１００内の各部を制御する。ＲＯＭ１０２は，ＣＰＵ１０１が使用するプログラムや，演算パラメータ等を記憶する。ＲＡＭ１０３は，ＣＰＵ１０１の実行において使用するプログラムや，その実行において適宜変化するパラメータ等を一時記憶する。これらはＣＰＵバスなどから構成されるホストバス１０４により相互に接続されている。
【００３９】
ホストバス１０４は，ブリッジ１０５を介して，ＰＣＩ（Ｐｅｒｉｐｈｅｒａｌ  Ｃｏｍｐｏｎｅｎｔ  Ｉｎｔｅｒｃｏｎｎｅｃｔ／ｉｎｔｅｒｆａｃｅ）バスなどの外部バス１０６に接続されている。
【００４０】
入力装置１０８は，例えば，マウス，キーボード，タッチパネル，ボタン，スイッチ，レバー等の操作手段と，入力信号を生成してＣＰＵ１０１に出力する入力制御回路などから構成されている。情報処理装置１００のユーザは，この入力装置１０８を操作することにより，情報処理装置１００に対して各種のデータを入力したり処理動作を指示したりすることができる。
【００４１】
出力装置１１０は，例えばＣＲＴ（Ｃａｔｈｏｄｅ  Ｒａｙ  Ｔｕｂｅ）ディスプレイ装置，液晶ディスプレイ（ＬＣＤ）装置，ランプ等の表示装置と，スピーカ等の音声出力装置などで構成される。この出力装置１１０は，例えば再生されたコンテンツを出力する。具体的には，表示装置は再生された映像コンテンツをテキストまたはイメージで動画若しくは静止画で表示する。一方，音声出力装置は，再生された音声コンテンツを発音する。
【００４２】
ＨＤＤ１１１は，本実施形態にかかる情報処理装置１００の記憶手段の一例として構成されたデータ格納用の装置である。このＨＤＤ１１１は，ＣＰＵ１０１が実行するプログラムや各種データをハードディスクに格納する。
【００４３】
ドライブ１１２は，記憶媒体用リーダ／ライタであり，情報処理装置１００に内蔵，或いは外付けされる。このドライブ１１２は，情報処理装置１００にローディングされた磁気ディスク（ＨＤ等），光ディスク（ＣＤ，ＤＶＤ等）光磁気ディスク（ＭＯ等），または半導体メモリ等のリムーバブル記憶媒体４０に対してコンテンツデータなどの各種データを記録／再生する。
【００４４】
具体的には，ドライブ１１２は，リムーバル記憶媒体４０に記憶されているデータを読み出して，インタフェース１０７，外部バス１０６，ブリッジ１０５，およびホストバス１０４を介して接続されているＲＡＭ１０３に供給する。ＣＰＵ１０１は，必要に応じて，これらのデータをＲＯＭ１０２またはＨＤＤ１１１などに格納する。一方ドライブ１１２は，ＲＯＭ１０２またはＨＤＤ１１１などに格納されているデータや，新たに生成したデータ，外部装置から取得したデータをＣＰＵ１０１から受け取り，リムーバブル記憶媒体４０に書き込む。
【００４５】
接続ポート１１４は，例えば，情報処理装置１００と外部周辺機器とを接続するポートであり，ＵＳＢ，ＩＥＥＥ１３９４等の接続端子を有する。接続ポート１１４は，インタフェース１０７，および外部バス１０６，ブリッジ１０５，ホストバス１０４等を介してＣＰＵ１０１等に接続されている。かかる接続ポート１１４によって，情報処理装置１００は，ＰＤ１５０等に対してローカルライン３０ｂを介して接続され，各種のデータを通信可能となる。
【００４６】
通信装置１１５は，例えば，ネットワーク３００に接続するための通信デバイス等で構成された通信インタフェースである。
【００４７】
＜４．ＰＤのハードウェア構成＞
次に，図３に基づいて，本実施形態にかかるＰＤ１５０のハードウェア構成について説明する。なお，図３は，本実施形態にかかるＰＤ１５０のハードウェア構成例を概略的に示すブロック図である。
【００４８】
図３に示すように，ＰＤ１５０は，例えば，制御装置２０１と，フラッシュメモリ２０２と，ＲＡＭ２０３と，バス２０６と，入力装置２０８と，表示装置２１０と，外部記憶媒体２１１と，ドライブ２１２と，デコーダ２１３と，通信装置２１５と，オーディオ出力回路２１６と，リモートコントローラ２１８と，ヘッドフォン２１９とを備える。
【００４９】
制御装置２０１は，例えば，フラッシュメモリ２０２または外部記憶媒体２１１に格納された各種プログラムに従って動作し，ＰＤ１５０の各部を制御する。フラッシュメモリ２０２は，例えば，制御装置２０１の動作を規定したプログラムや，各種のデータを記憶する。また，ＲＡＭ２０３は，例えばＳＤＲＡＭ（Ｓｙｎｃｈｒｏｎｏｕｓ  ＤＲＡＭ）で構成され，制御装置２０１の処理に関する各種データを一時記憶する。
【００５０】
バス２０６は，制御装置２０１，フラッシュメモリ２０２，ＲＡＭ２０３，データ処理装置２０４，入力装置２０８，表示装置２１０，外部記憶媒体２１１，ドライブ２１２，デコーダ２１３，通信装置２１５およびオーディオ出力回路２１６などを接続するデータ線である。
【００５１】
入力装置２０８とリモートコントローラ２１８は，例えば，タッチパネル，ボタンキー，レバー，ダイヤル等の操作手段と，ユーザによる操作手段に対する操作に応じて入力信号を生成して制御装置２０１に出力する入力制御回路などから構成されている。
【００５２】
表示装置２１０は，例えばＬＣＤパネルおよびＬＣＤ制御回路などで構成される。この表示装置２１０は，制御装置２０１の制御に応じて，各種情報をテキストまたはイメージで表示する。
【００５３】
外部記憶媒体２１１は，本実施形態にかかるＰＤ１５０の記憶手段の一例として構成されたデータ格納用の装置である。この外部記憶媒体２１１は，例えば数十ＧＢの記憶容量を有するハードディスクドライブ（ＨＤＤ）で構成され，コンテンツデータなどの各種のデータを格納する。かかる外部記憶媒体２１１を備えたＰＤ１５０は，コンテンツデータを記録および再生可能なコンテンツ記録再生装置として構成される。これによって，情報処理装置１００からリムーバブル記憶媒体４０を介して提供されたコンテンツデータのみならず，ＰＣ１００等からローカルラインを介して受信したコンテンツデータを外部記憶媒体２１１に格納して，再生することができるようになる。しかし，かかる例に限定されず，例えば，ＰＤ１５０は外部記憶媒体２１１を具備せず，コンテンツデータの再生専用装置として構成されてもよい。この場合には，ＰＤ１５０は，例えば，リムーバブル記憶媒体４０に保存されているコンテンツデータを読み出して再生のみ実行可能（記録は不可能）となる。
【００５４】
ドライブ２１２は，記憶媒体用リーダ／ライタであり，情報処理装置１００に内蔵される。このドライブ２１２は，ＰＤ１５０にローディングされた上記各種のリムーバブル記憶媒体４０に対して，コンテンツデータなどの各種データを，記録／再生する。デコーダ２１３は，暗号化されているコンテンツのデコート処理，サラウンド処理，ＰＣＭデータへの変換処理などを行う。
【００５５】
通信装置２１５は，例えば，ＵＳＢコントローラおよびＵＳＢ端子などで構成され，ＵＳＢケーブル等のローカルライン３０ｂを介して接続された情報処理装置１００等との間で，各種データを送受信する。
【００５６】
オーディオ出力回路２１６は，デコーダ２１３によりデコードされ，制御装置２０１によってＤＡ変換されたアナログ音声データを増幅してリモートコントローラ２１８に出力する。このアナログ音声データは，リモートコントローラ２１８からヘッドフォン２１９に出力され，ヘッドフォン２１９に内蔵されたスピーカ（図示せず）から音声出力される。
【００５７】
以上のように，図２および図３では，情報処理装置１００およびＰＤ１５０のハードウェア構成例を説明した。情報処理装置１００としてＰＣ（Ｐｅｒｓｏｎａｌ  Ｃｏｍｐｕｔｅｒ）を例示することができるが，かかる例に限定されず，据え置き型の音声プレーヤ，その他テレビジョン装置などでもよい。またコンテンツデータが記憶された外部記憶媒体２１１は，ＰＤの他，携帯電話，ＰＤＡ（Ｐｅｒｓｏｎａｌ  Ｄｉｇｉｔａｌ  Ａｓｓｉｓｔａｎｃｅ）に備えられていてもよい。
【００５８】
次に，上記情報処理装置１００に備わる記憶装置に格納されたＰＣＭデータからユニーク識別情報を生成することが可能な，第１実施形態にかかる情報処理装置１００ａの機能構成について説明する。
【００５９】
（第１実施形態）
＜５．情報処理装置の機能構成＞
第１実施形態では，コンテンツデータが情報処理装置１００ａに備わるコンテンツデータ記憶部１２２に記憶されており，記憶されたコンテンツデータに対応するコンテンツ関連情報を取得することが可能な情報処理装置１００ａについて説明する。
【００６０】
図４に示したように，情報処理装置１００ａの機能構成を示すブロック図である。第１実施形態においては，情報処理装置１００ａに備わる記憶装置にコンテンツデータが記憶されており，記憶されたコンテンツデータを復号してＰＣＭデータを取得し，そのＰＣＭデータからユニーク識別情報を生成することができる。
【００６１】
図４に示したように，情報処理装置１００ａは，処理制御部１２０，コンテンツデータ記憶部１２２，復号部１２４，ユニーク識別情報生成部１２６，通信部１３８などを備える。
【００６２】
処理制御部１２０は，各部の処理を制御する機能を有し，コンテンツデータ記憶部１２２に記憶されたコンテンツデータを取得したり，ユニーク識別情報の生成を要求したり，各部で実行されるデータ処理の制御を行う。コンテンツデータ記憶部１２２は，情報処理装置１００ａの記憶手段の一例として構成されたデータ格納用の装置であって，圧縮されたコンテンツデータやコンテンツ関連情報などを格納する。
【００６３】
復号部１２４は，処理制御部１２０の要求により，コンテンツデータ記憶部１２２に記憶されたコンテンツデータを復号する機能を有する。コンテンツデータ記憶部１２２に記憶されたコンテンツデータが圧縮されている場合には，圧縮されたコンテンツデータを復号してＰＣＭデータに変換する。ＰＣＭデータに変換されたコンテンツデータは，処理制御部１２０に提供される。ここで，コンテンツデータを復号するとは，上述したＡＴＲＡＣ３（Ａｄｖａｎｃｅｄ  Ｔｒａｎｓｆｏｒｍ  Ａｃｏｕｓｔｉｇ  Ｃｏｄｉｎｇ）方式，またはＭＰ３（ＭＰＥＧ  Ａｕｄｉｏ  Ｌａｙｅｒ−３）方式などの圧縮符号化方式で圧縮されたコンテンツデータを波形解析データであるＰＣＭデータに変換することをいう。
【００６４】
ユニーク識別情報生成部１２６は，処理制御部１２０からＰＣＭデータを提供され，処理制御部１２０の要求により，ユニーク識別情報を生成する機能を有する。ユニーク識別情報生成部１２６により生成されるユニーク識別情報は，上述したように，ＰＣＭデータから生成される８００バイト程度の文字列で表すことが可能なコンテンツデータ固有の識別情報である。ユニーク識別情報生成部１２６により生成されたユニーク識別情報は，処理制御部１２０に提供される。
【００６５】
ここで，図５に基づいて，ユニーク識別情報の生成について詳細に説明する。図５に示したように，まず，処理制御部１２０からＰＣＭデータの属性情報がユニーク識別情報生成部１２６に提供される（Ｓ１００）。ＰＣＭデータの属性情報とは，ＰＣＭデータのデータ長，チャネル数，サンプリング周波数などの情報である。処理制御部１２０は，復号部１２４から提供された各コンテンツデータにかかるＰＣＭデータの属性情報を抽出することができる。
【００６６】
処理制御部１２０から属性情報を提供されたユニーク識別情報生成部１２６は，属性情報に基づいて，ユニーク識別情報を生成するために必要なＰＣＭデータの開始位置と終了位置とを処理制御部１２０に通知する（Ｓ１０２）。ユニーク識別情報生成部１２６は，ＰＣＭデータの属性情報から，ＰＣＭデータの抽出位置と長さを算出するアルゴリズムを有する。このアルゴリズムにより，コンテンツデータを一意に識別するユニーク識別情報を生成するために必要なＰＣＭデータの開始位置と終了位置とを決定することができる。
【００６７】
ＰＣＭデータの開始位置と終了位置とを通知された処理制御部１２０は，ＰＣＭデータのうち，必要な部分を抽出してユニーク識別情報生成部１２６に提供する（Ｓ１０４）。抽出されたＰＣＭデータを提供されたユニーク識別情報生成部１２６は，そのＰＣＭデータのハッシュ値等を生成して，８００バイト程度の文字列で表すことが可能なコンテンツデータ固有の識別情報を生成する。生成されたユニーク識別情報は，処理制御部１２０に提供される（Ｓ１０６）。
【００６８】
図４に戻り，通信部１２８は，ネットワーク３００に接続するための通信デバイス等で構成された通信インタフェースである。通信部１２８は，処理制御部１２０にからユニーク識別情報を提供され，処理制御部１２０の要求により，ネットワーク３００を介して，ユニーク識別情報をコンテンツ関連情報提供サーバ２００に送信する。また，ユニーク識別情報に基づいてコンテンツ関連情報提供サーバ２００により検索されたコンテンツ関連情報を処理制御部１２０に提供する。
【００６９】
コンテンツ関連情報提供サーバ２００は，コンテンツ関連情報記憶部２５０および検索部２５２などを備え，情報処理装置１００ａから送信されたユニーク識別情報に基づいて，対応するコンテンツ関連情報を検索して，情報処理装置１００ａに返信する。
【００７０】
コンテンツ関連情報提供サーバ２００に備わるコンテンツ関連情報記憶部２５０には，コンテンツデータ固有のユニーク識別情報とコンテンツ関連情報とが関連付けられて記憶されている。検索部１２４は，ユニーク識別情報に基づいて，コンテンツ関連情報記憶部１１２２に記憶されているコンテンツ関連情報を検索する機能を有する。
【００７１】
以上，情報処理装置１００ａおよびコンテンツ関連情報提供サーバ２００の機能構成について説明した。次に，図６に基づいて，情報処理装置１００ａにおける，コンテンツデータ記憶部１２２に記憶されたコンテンツデータに対応するコンテンツ関連情報の取得方法について説明する。
【００７２】
＜６．情報処理装置におけるコンテンツ関連情報の取得方法＞
図６は，情報処理装置１００ａにおける，コンテンツデータ記憶部１２２に記憶されたコンテンツデータに対応するコンテンツ関連情報の取得方法を示したフローチャートである。まず，コンテンツデータ記憶部１２２に記憶されたコンテンツデータを読み取る（Ｓ１１０）。
【００７３】
ステップＳ１１０により読み取られたコンテンツデータが圧縮されているか否かを判断する（Ｓ１１２）。ステップＳ１２２において，コンテンツデータが圧縮されていると判断された場合には，圧縮されたコンテンツデータを復号する（Ｓ１１４）。ステップＳ１１２において，コンテンツデータが圧縮されていない，つまり，読み取られたコンテンツデータがＰＣＭデータであると判断された場合には，コンテンツデータを復号せずに以下の処理を行う。
【００７４】
次に，処理制御部１２０は，読み取られたコンテンツデータにかかるＰＣＭデータのうち，ユニーク識別情報を生成するために必要なＰＣＭデータを取得する（Ｓ１１６）。ステップＳ１１６において取得されたＰＣＭデータがユニーク識別情報生成部１２６に提供され，ユニーク識別情報生成部１２６によりユニーク識別情報が生成される（Ｓ１１８）。
【００７５】
ステップＳ１１８において生成されたユニーク識別情報がコンテンツ関連情報提供サーバ２００に送信される（Ｓ１２０）。ステップＳ１２０において送信されたユニーク識別情報に基づいて，コンテンツ関連情報提供サーバ２００により，ユニーク識別情報に関連付けられたコンテンツ関連情報が検索され，情報処理装置１００ａに返信される。情報処理装置１００ａは，コンテンツ関連情報を取得し（Ｓ１２２），取得したコンテンツ関連情報をコンテンツデータ記憶部１２２に記憶する（Ｓ１２４）。
【００７６】
以上，情報処理装置１００ａにおける，コンテンツ関連情報の取得方法について説明した。第１実施形態にかかる情報処理装置１００ａにより，コンテンツデータ記憶部１２２に記憶されたコンテンツデータをＰＣＭデータに変換して，そのＰＣＭデータからコンテンツ関連情報を取得するためのユニーク識別情報が生成される。
【００７７】
情報処理装置１００ａを上記の如く構成にすることにより，コンテンツ関連情報を取得するためのユニーク識別情報を生成することができる。第１実施形態では，コンテンツデータ記憶部１２２にコンテンツデータとコンテンツ関連情報が関連付けられて記憶される。コンテンツデータ記憶部１２２に記憶されたコンテンツデータとコンテンツ関連情報とをローカルライン等を介して接続されたＰＤ１５０に送信して，ＰＤ１５０に備わる外部記憶媒体に記憶することができる。しかし，コンテンツデータのみＰＤ１５０に送信された場合には，ＰＤ１５０に備わる外部記憶媒体にコンテンツデータのみ記憶される。そのコンテンツデータに対応するコンテンツ関連情報は，ユーザにより入力等されるか，ＰＤ１５０を情報処理装置１００ａに接続した後，情報処理装置１００ａを操作しない限り，コンテンツデータに付加されない。そこで，第２実施形態では，既にＰＤ１５０に備わる外部記憶媒体に記憶されたコンテンツデータに，ユーザが入力等せずともコンテンツ関連情報を付加することが可能な情報処理装置１００ｂについて説明する。
【００７８】
（第２実施形態）
＜７．情報処理装置の機能構成＞
図７は，第２実施形態にかかる情報処理装置１００ｂの機能構成を示すブロック図である。図７に示したように，本実施形態にかかる情報処理装置１００ｂは，処理制御部１３０，コンテンツデータ記憶部１２２，復号部１２４，ユニーク識別情報生成部１２６，通信部１２８などを備える。
【００７９】
本実施形態にかかる情報処理装置１００ｂについては，第１実施形態にかかる情報処理装置１００ａと異なる機能について主に説明する。
【００８０】
処理制御部１３０は，ＰＤ１５０の接続を検出する。処理制御部１３０によりＰＤ１５０の接続が検出されるとは，ＰＤ１５０に備わる外部記憶媒体の接続が検出されることである。ＰＤ１５０の接続が検出された場合には，ＰＤ１５０に備わる外部記憶媒体に記憶されたコンテンツデータに対応する属性情報を取得する。取得した属性情報とコンテンツデータに基づいて，コンテンツデータ固有のユニーク識別情報を生成することをユニーク識別情報生成部１２６に要求する。そして，ユニーク識別情報に対応するコンテンツ関連情報を，当該ユニーク識別情報に対応するコンテンツ関連情報を提供するコンテンツ関連情報提供サーバと通信可能な通信部１２８に対して要求する。処理制御部１３０の要求により，通信部１２８に提供されたコンテンツ関連情報を，コンテンツデータと関連付けてＰＤに備わる外部記憶媒体に記憶する制御を行う。
【００８１】
コンテンツデータ記憶部１２２，復号部１２４，ユニーク識別情報生成部１２６，通信部１２８は，第１実施形態と同様の機能を有するため，説明を省略する。
【００８２】
図８に基づいて，処理制御部１３０における各部への処理要求および制御について詳細に説明する。図８は，処理制御部１３０の機能構成について示したブロック図である。図８に示したように，処理制御部１３０は，接続検出部１３２と，属性情報取得部１３４と，復号制御部１３６と，コンテンツ関連情報記憶制御部１３８と，ユニーク識別情報要求部１４０と，コンテンツ関連情報要求部１４２などを備える。
【００８３】
接続検出部１３２は，ＰＤ１５０の接続を検出する機能を有する。上述したように，ＰＤ１５０の接続を検出するとは，ＰＤ１５０に備わる外部記憶媒体の接続を検出することである。接続検出部１３２によりＰＤ１５０の接続が検出された場合は，その検出結果を属性情報取得部１３４に通知する。属性情報取得部１３４は，接続検出部１３２による検出結果に応じて，ＰＤ１５０に備わる外部記憶媒体に記憶されたコンテンツデータに対応する属性情報を取得する機能を有する。属性情報取得部１３４は，ＰＤ１５０に備わる外部記憶媒体に記憶されたコンテンツデータのデータ長，チャネル数，サンプリング周波数などの属性情報を抽出する。また，サンプリング周波数とチャネル数が固定値である場合には，サンプリング周波数とチャネル数を予め設定しておき，コンテンツデータのデータ長のみを取得するようにしてもよい。属性情報取得部１３４により取得された属性情報は，ユニーク識別情報要求部１４０に提供される。
【００８４】
復号制御部１３６は，ＰＤ１５０に備わる外部記憶媒体に記憶されたコンテンツデータが圧縮されたコンテンツデータである場合，ＰＤ１５０から圧縮コンテンツデータを取得して，復号部１０６に圧縮コンテンツデータを復号させて，復号された原コンテンツデータを取得する機能を有する。また，属性情報取得部１３４により，コンテンツデータのデータ長とデータ変換情報とが取得されている場合には，そのデータ長とデータ変換情報に応じたチャネル数とサンプリング周波数を決定する。そして，圧縮されたコンテンツデータを，該チャネル数およびサンプリング周波数の原コンテンツデータに復号させるように復号部１０６を制御する。復号制御部１３６は，復号部１０６により復号された原コンテンツデータをユニーク識別情報要求部１４０に提供する。また，原コンテンツデータをコンテンツデータ記憶制御部１３７に提供するようにしてもよい。コンテンツデータ記憶制御部１３７は，復号制御部１３６により提供された原コンテンツデータをコンテンツデータ記憶部１２２に記憶するように制御する機能を有する。
【００８５】
ユニーク識別情報要求部１４０は，属性情報取得部１３４により提供されたコンテンツデータに対応する属性情報と，ＰＤ１５０に備わる外部記憶媒体に記憶されたコンテンツデータに基づき，コンテンツデータ固有のユニーク識別情報を生成することをユニーク識別情報生成部１２６に要求する機能を有する。ユニーク識別情報要求部１４０は，属性情報取得部１３４により提供された属性情報をユニーク識別情報生成部１２６に提供して，コンテンツデータ固有のユニーク識別情報をユニーク識別情報生成部１２６に生成させることができる。ユニーク識別情報生成部１２６により生成されたユニーク識別情報はコンテンツ関連情報要求部１４２に提供される。
【００８６】
ユニーク識別情報生成部１２６は，ユニーク識別情報要求部１４０から提供された属性情報とコンテンツデータとに基づいて，コンテンツデータ固有のユニーク識別情報を生成する。上述したように，ユニーク識別情報を生成するために必要なＰＣＭデータは，各楽曲コンテンツデータの一部分である。例えば，１曲分のＰＣＭデータのうち，先頭から数秒分のＰＣＭデータからユニーク識別情報が生成するようにしてもよい。各曲のＰＣＭデータのどの部分が必要であるかを，コンテンツデータの属性情報であるデータ長，チャネル数，サンプリング周波数から算出することができる。ユニーク識別情報生成部１２６は，コンテンツデータに対応する属性情報から，ユニーク識別情報を生成するために必要なＰＣＭデータが，１曲分のＰＣＭデータのうちどの部分であるかを決定する。そして，必要なＰＣＭデータを抜き出して，そのＰＣＭデータからユニーク識別情報を生成する。ユニーク識別情報生成部１２６により生成されたユニーク識別情報がユニーク識別情報要求部１４０に提供される。
【００８７】
コンテンツ関連情報要求部１４２は，ユニーク識別情報要求部１４０により提供されたユニーク識別情報に対応するコンテンツ関連情報を，当該ユニーク識別情報に対応するコンテンツ関連情報を提供するサーバ装置と通信可能な通信部１２８に対して要求する機能を有する。具体的には，コンテンツ関連情報要求部１４２は，ユニーク識別情報を通信部１２８に提供して，通信部１２８に対して，ユニーク識別情報をコンテンツ関連情報サーバ２００に送信するように制御する。そして，通信部１２８により受信されたユニーク識別情報に対応するコンテンツ関連情報を取得して，関連情報記憶制御部１３８に提供する。
【００８８】
通信部１１８は，ネットワーク３００に接続するための通信デバイス等で構成された通信インタフェースである。通信部１１８は，コンテンツ関連情報要求部１４２により提供されたユニーク識別情報をコンテンツ関連情報提供サーバ２００に送信し，コンテンツ関連情報提供サーバ２００において検索されたユニーク識別情報に対応するコンテンツ関連情報を受信する。通信部１１８は，コンテンツ関連情報提供サーバ２００より受信したコンテンツ関連情報をコンテンツ関連情報要求部１４２に提供する。
【００８９】
関連情報記憶制御部１３８は，コンテンツ関連情報要求部１４２により提供されたコンテンツ関連情報を，コンテンツデータと関連付けてＰＤ１５０に備わる外部記憶媒体に記憶する。また，コンテンツデータとコンテンツ関連情報とを関連付けてコンテンツデータ記憶部１２２に記憶する。
【００９０】
ＰＤ１５０に備わる外部記憶媒体に記憶されたコンテンツデータが復号制御部１３６とユニーク識別情報要求部１４０とに提供されることにより，コンテンツデータをコンテンツデータ記憶部１２２に記憶しながら，コンテンツデータに対応するコンテンツ関連情報を取得することが可能となる。
【００９１】
本実施形態では，情報処理装置１００ｂによりＰＤ１５０の接続を検出して，ＰＤ１５０に備わる外部記憶媒体に記憶されたコンテンツデータの属性情報を取得するとともに，コンテンツデータを復号してＰＣＭデータを取得する。そして，取得したコンテンツデータとコンテンツデータの属性情報に基づいて，ユニーク識別情報を生成して，ユニーク識別情報に対応するコンテンツ関連情報を取得することができる。これにより，ＰＤに備わる外部記憶媒体にコンテンツデータのみ記憶されている場合に，ユーザにより入力等がなされなくとも，コンテンツ関連情報を取得して，コンテンツデータと関連付けてＰＤ１５０に備わる外部記憶媒体に記憶することが可能となる。
【００９２】
以上，情報処理装置１００ｂの機能構成について説明した。次に，図９に基づいて，情報処理装置１００ｂにおける，ＰＤ１５０に備わる外部記憶媒体に記憶されたコンテンツデータに対応するコンテンツ関連情報の取得方法について説明する。
【００９３】
＜８．情報処理装置におけるコンテンツ関連情報の取得方法＞
図９は，情報処理装置１００ｂにおける，外部記憶媒体に記憶されたコンテンツデータのコンテンツ関連情報の取得方法を示したフローチャートである。まず，ユーザによりＰＤ１５０が情報処理装置１００ｂに接続される（Ｓ１３０）。接続検出部１３２によりＰＤ１５０の接続が検出されると，ＰＤ１５０に備わる外部記憶媒体に記憶されたコンテンツデータが読み取られる（Ｓ１３２）。
【００９４】
ステップＳ１３２において読み取られたコンテンツデータが圧縮されているか否かを判断する（Ｓ１３４）。ステップＳ１３４において，コンテンツデータが圧縮されていると判断された場合には，コンテンツデータを復号する（Ｓ１３６）。ステップＳ１３４においてコンテンツデータが圧縮されていない場合には，以下の処理を行う。
【００９５】
次に，処理制御部１３０は，読み取られたコンテンツデータにかかるＰＣＭデータのうち，ユニーク識別情報を生成するために必要なＰＣＭデータを取得する（Ｓ１３８）。ステップＳ１３８において取得されたＰＣＭデータがユニーク識別情報生成部１４０に提供され，ユニーク識別情報生成部１４０によりユニーク識別情報が生成される（Ｓ１４０）。
【００９６】
ステップＳ１４０において生成されたユニーク識別情報がコンテンツ関連情報提供サーバ２００に送信される（Ｓ１４２）。ステップＳ１４２において送信されたユニーク識別情報に基づいて，コンテンツ関連情報提供サーバ２００により，ユニーク識別情報に関連付けられたコンテンツ関連情報が検索され，情報処理装置１００ａに返信される。情報処理装置１００ａは，コンテンツ関連情報を取得し（Ｓ１４４），取得したコンテンツ関連情報を外部記憶媒体に記憶する（Ｓ１４６）。
【００９７】
上述したように，ステップＳ１３２において読み取られたコンテンツデータを，情報処理装置１００ｂに備わるコンテンツデータ記憶部１２２に記憶するようにしてもよい。そして，ステップＳ１４４において取得したコンテンツ関連情報を，対応するコンテンツデータと関連付けてコンテンツデータ記憶部１２２に記憶するようにしてもよい。このように，ＰＤ１５０に備わる外部記憶媒体に記憶されているコンテンツデータと，コンテンツデータに対応するコンテンツ関連情報とを情報処理装置１００ｂに備わるコンテンツデータ記憶部１２２に記憶することにより，ＰＤ１５０に備わる外部記憶媒体と情報処理装置１００ｂに記憶されたコンテンツに関連する情報について同期をとることができる。例えば，情報処理装置１００ｂがネットワーク３００を介してコンテンツ関連情報提供サーバ２００に接続する際に，コンテンツデータ記憶部１２２に記憶されたコンテンツ関連情報が最新の情報となるように更新するようにする。そして，ＰＤ１５０を情報処理装置１００ｂに接続した際に，情報処理装置１００ｂによりＰＤ１５０に備わる外部記憶媒体に記憶されたコンテンツ関連情報が最新の情報に更新されるようにしてもよい。
【００９８】
以上，情報処理装置１００ｂにおけるコンテンツ関連情報の取得方法について説明した。次に，図１０に基づいて，ＰＤ１５０に備わる外部記憶媒体に記憶されたコンテンツデータがＰＣＭデータである場合に，コンテンツ関連情報を取得する方法について説明する。
【００９９】
まず，ユーザにより，ＰＤ１５０が情報処理装置１００ｂに接続されると，処理制御部１３０によりＰＤ１５０の接続が検出される（Ｓ２００）。ステップＳ２００において，ＰＤ１５０の接続が検出されると，処理制御部１３０は，ＰＤ１５０に備わる外部記憶媒体に記憶されたコンテンツデータの属性情報を要求する（Ｓ２０２）。処理制御部１３０は，外部記憶媒体に記憶されたコンテンツデータのデータ長およびデータ変換情報を取得する（Ｓ２０４）。ここで，データ変換情報とは，信号やデータを符号化／復号化する方法を表す情報である。外部記憶媒体に記憶された音楽コンテンツデータがＰＣＭデータである場合，ＰＣＭデータのチャネル数およびサンプリング周波数がコンテンツデータに含まれている。ステップＳ２０４において，処理制御部１３０は，コンテンツデータのデータ長，チャネル数，サンプリング周波数を属性情報として取得するようにしてもよい。
【０１００】
次に，処理制御部１３０は，ＰＤ１５０に対して，コンテンツデータを要求する（Ｓ２０６）。ステップＳ２０４において属性情報を取得した処理制御部１３０は，ユニーク識別情報を取得するために必要なＰＣＭデータのみＰＤ１５０から取得するようにしてもよい。処理制御部１３０は，属性情報であるコンテンツデータのデータ長，チャネル数，サンプリング周波数から，ユニーク識別情報を取得するために必要なＰＣＭデータの開始位置と終了位置とを決定することができる。必要なＰＣＭデータの開始位置と終了位置とをＰＤ１５０に通知して，ＰＤ１５０により必要なＰＣＭデータのみ取得するようにしてもよい。ステップＳ２０８において提供されたＰＣＭデータが，ユニーク識別情報生成部１２６に提供される。
【０１０１】
ステップＳ２１２において，ユニーク識別情報を生成するために必要なＰＣＭデータを取得したユニーク識別情報生成部１２６は，処理制御部１３０の要求に応じて，ユニーク識別情報を生成する（Ｓ２１４）。ステップＳ２１４において生成されたユニーク識別情報が処理制御部１３０に提供される（Ｓ２１６）。
【０１０２】
ステップＳ２１６においてユニーク識別情報を提供された処理制御部１３０は，ユニーク識別情報を通信部１２８に提供して，ユニーク識別情報に対応するコンテンツ関連情報を，コンテンツ関連情報提供サーバ２００に送信するよう要求する（Ｓ２１８）。ステップＳ２１８においてユニーク識別情報を提供された通信部１２８は，ネットワークを介して接続されたコンテンツ関連情報提供サーバ２００にユニーク識別情報を送信する（Ｓ２２０）。
【０１０３】
ステップＳ２２０においてユニーク識別情報を送信されたコンテンツ関連情報提供サーバ２００は，送信されたユニーク識別情報に対応するコンテンツ関連情報を検索する（Ｓ２２２）。コンテンツ関連情報提供サーバ２００に備わるコンテンツ関連情報記憶部２５０には，ユニーク識別情報とコンテンツ関連情報とが関連付けられて記憶されている。コンテンツ関連情報提供サーバ２００に備わる検索部２５２は，通信部１２８により送信されたユニーク識別情報に対応するコンテンツ関連情報を検索して，コンテンツ関連情報記憶部２５０から取得したコンテンツ関連情報を通信部１２８に送信する（Ｓ２２４）。
【０１０４】
ステップＳ２２４において，コンテンツ関連情報提供サーバ２００からコンテンツ関連情報を送信された通信部１２８は，受信したコンテンツ関連情報を処理制御部１３０に提供する（Ｓ２２６）。ステップＳ２２６においてコンテンツ関連情報を提供された処理制御部１３０は，コンテンツ関連情報をＰＤ１５０に提供して（Ｓ２２８），ＰＤ１５０に備わる外部記憶媒体に記憶させる（Ｓ２３０）。
【０１０５】
また，ステップＳ２０８において処理制御部１２０により取得されたコンテンツデータがＰＣＭデータである場合には，処理制御部１３０は，情報処理装置１００ｂに備わる圧縮部１４４によりコンテンツデータを圧縮するように制御する（Ｓ２３４）。ステップＳ２３４において圧縮部１４４により圧縮されたコンテンツデータがコンテンツデータ記憶部１２２に提供される（Ｓ２３６）。ステップＳ２３６において提供されたコンテンツデータがコンテンツデータ記憶部１２２に記憶される（２３８）。
【０１０６】
そして，ステップＳ２２６において，処理制御部１３０に提供されたコンテンツ関連情報は，コンテンツデータ記憶部１２２に提供され（Ｓ２３０），対応するコンテンツデータと関連付けられてコンテンツデータ記憶部１２２に記憶される（Ｓ２４０）。このように，ＰＤ１５０に備わる外部記憶媒体に記憶されているコンテンツデータと，コンテンツデータに対応するコンテンツ関連情報とを情報処理装置１００ｂに備わるコンテンツデータ記憶部１２２に記憶することにより，外部記憶媒体と情報処理装置１００ｂに記憶されたコンテンツに関連する情報について同期をとることができる。例えば，情報処理装置１００ｂがネットワーク３００を介してコンテンツ関連情報提供サーバ２００に接続する際に，コンテンツデータ記憶部１２２に記憶されたコンテンツ関連情報が最新の情報となるように更新するようにする。そして，ＰＤ１５０を情報処理装置１００ｂに接続した際に，情報処理装置１００ｂによりＰＤ１５０に備わる外部記憶媒体に記憶されたコンテンツ関連情報が最新の情報に更新されるようにしてもよい。
【０１０７】
以上，外部記憶媒体に記憶されたコンテンツデータがＰＣＭデータである場合に，コンテンツ関連情報を取得する方法について説明した。次に，図１１に基づいて，外部記憶媒体に記憶されたコンテンツデータがＡＴＲＡＣ３方式，またはＭＰ３方式などの圧縮符号化方式で圧縮されている場合におけるコンテンツ関連情報を取得する方法について説明する。
【０１０８】
まず，ユーザにより，ＰＤ１５０が情報処理装置１００ｂに接続されると，処理制御部１３０によりＰＤ１５０の接続が検出される（Ｓ３００）。ステップＳ３００において，ＰＤ１５０の接続が検出されると，処理制御部１３０は，ＰＤ１５０に備わる外部記憶媒体に記憶されたコンテンツデータの属性情報を要求する（Ｓ３０２）。処理制御部１３０は，外部記憶媒体に記憶されたコンテンツデータのデータ長およびデータ変換情報を取得する（Ｓ３０４）。上述したように，データ変換情報とは，信号やデータを符号化／復号化する方法を表す情報である。外部記憶媒体に記憶されたコンテンツデータが圧縮されている場合，その圧縮方式の情報をデータ変換情報として取得する。
【０１０９】
処理制御部１３０は，ＰＤ１５０にコンテンツデータを要求して（Ｓ３０６），圧縮されたコンテンツデータを取得する（Ｓ３０８）。処理制御部１３０は，圧縮されたコンテンツデータをコンテンツデータ記憶部１２２に提供して（Ｓ３１０），記憶させる（Ｓ３１５）とともに，圧縮されたコンテンツデータを復号部１２４に提供する（Ｓ３１２）。ステップＳ３１２において，処理制御部１３０は，ステップＳ３０４において取得したコンテンツデータのデータ長およびデータ変換情報に応じたチャネル数およびサンプリング周波数を決定し，復号部１２４に対して，圧縮されたコンテンツデータを該チャネル数およびサンプリング周波数の原コンテンツデータに復号させるよう要求する（Ｓ３１２）。
【０１１０】
ステップＳ３１２において処理制御部１３０により復号要求がなされた復号部１２４は，コンテンツデータを復号して（Ｓ３１４），復号した原コンテンツデータを処理制御部１３０に提供する（Ｓ３１６）。ステップＳ３１４において復号された原コンテンツデータは，ＰＣＭデータである。ステップＳ３１６において復号部１２４より復号されたコンテンツデータを取得した処理制御部１３０は，コンテンツデータのデータ長，チャネル数およびサンプリング周波数からユニーク識別情報の生成に必要なＰＣＭデータを抽出して（Ｓ３１８），抽出したＰＣＭデータをユニーク識別情報生成部１２６に提供する（Ｓ３２０）。
【０１１１】
また，コンテンツデータの復号時に指定されるチャネル数およびサンプリング周波数が固定である場合には，予めユニーク識別情報生成部１２６にチャネル数およびサンプリング周波数を提供して，ユニーク識別情報生成部１２６により必要なＰＣＭデータを抽出するようにしてもよい。また，処理制御部１３０によりコンテンツデータの必要な部分を指定して，必要な部分のみＰＤ１５０から取得するようにしてもよい。その場合，ＰＤ１５０により，コンテンツデータの必要部分が抽出されるようにしてもよい。
【０１１２】
処理制御部１３０は，属性情報およびコンテンツデータに基づいて，コンテンツデータ固有のユニーク識別情報を生成することをユニーク識別情報生成部１２６に要求する（Ｓ３２０）。コンテンツデータを提供されたユニーク識別情報生成部１２６は，ユニーク識別情報を生成して（Ｓ３２２），生成したユニーク識別情報を処理制御部１３０に提供する（Ｓ３２４）。
【０１１３】
ステップＳ３２４においてユニーク識別情報を提供された処理制御部１３０は，ユニーク識別情報を通信部１２８に提供して，ユニーク識別情報に対応するコンテンツ関連情報を，コンテンツ関連情報提供サーバ２００に送信するよう要求する（Ｓ３２６）。ステップＳ３２８においてユニーク識別情報を提供された通信部１２８は，ネットワークを介して接続されたコンテンツ関連情報提供サーバ２００にユニーク識別情報を送信する（Ｓ３２８）。
【０１１４】
ステップＳ３２８においてユニーク識別情報を送信されたコンテンツ関連情報提供サーバ２００は，送信されたユニーク識別情報に対応するコンテンツ関連情報を検索する（Ｓ３３０），コンテンツ関連情報提供サーバ２００に備わるコンテンツ関連情報記憶部２５０には，ユニーク識別情報とコンテンツ関連情報とが関連付けられて記憶されている。コンテンツ関連情報提供サーバ２００に備わる検索部２５２は，通信部１２８により送信されたユニーク識別情報に対応するコンテンツ関連情報を検索して，コンテンツ関連情報記憶部２５０から取得したコンテンツ関連情報を通信部１２８に送信する（Ｓ３３２）。
【０１１５】
ステップＳ３３２において，コンテンツ関連情報提供サーバ２００からコンテンツ関連情報を送信された通信部１２８は，受信したコンテンツ関連情報を処理制御部１３０に提供する（Ｓ３３４）。ステップＳ３３４においてコンテンツ関連情報を提供された処理制御部１３０は，コンテンツ関連情報をＰＤ１５０に提供して（Ｓ２２８），ＰＤ１５０に備わる外部記憶媒体に記憶させる（Ｓ３４０）。処理制御部１３０は，コンテンツ関連情報を外部記憶媒体に記憶させるとともに，コンテンツ関連情報をコンテンツデータ記憶部１２２にも提供して（Ｓ３３８）記憶させる制御を行う（Ｓ３４２）。
【０１１６】
以上，外部記憶媒体に記憶されたコンテンツデータが圧縮されている場合に，コンテンツ関連情報を取得する方法について説明した。以上，図１０および図１１に基づいて説明したように，情報処理装置１００ｂは，接続されたＰＤ１５０に備わる外部記憶媒体に記憶されたコンテンツデータを読み取り，そのコンテンツデータに基づいてユニーク識別情報を生成してコンテンツ関連情報を取得することができる。また，外部記憶媒体に記憶されたコンテンツデータを自身の記憶装置に記憶している間に，コンテンツデータに対応するコンテンツ関連情報を取得することができる。また，コンテンツ関連情報提供サーバ２００より取得したコンテンツ関連情報を，外部記憶媒体に記憶するとともに，自身の記憶装置にも記憶することができる。これにより，ユーザが所有する情報処理装置１００ｂとＰＤ１５０に備わる外部記憶媒体に記憶されたコンテンツデータに対応するコンテンツ関連情報を同期させることが可能となる。
【０１１７】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１１８】
上述した実施形態においては，ＰＣ（Ｐｅｒｓｏｎａｌ  Ｃｏｍｐｕｔｅｒ）を本発明の情報処理装置に適用し，ＰＤ（Ｐｏｒｔａｂｌｅ  Ｄｅｖｉｃｅ）を本発明の外部記憶媒体を有する外部記憶装置として説明したが，かかる例に限定されない。例えば，音声プレーヤやテレビジョン装置など，ネットワーク接続可能なＰＣ以外のＣＥ（Ｃｏｎｓｕｍｅｒ  Ｅｌｅｃｔｒｏｎｉｃｓ）機器を本発明にかかる情報処理装置に適用してもよい。また，本発明にかかる外部記憶媒体として，ＤＶＤ，ＣＤ，ＭＤ，半導体メモリ等のリムーバブル記憶媒体を適用してもよい。これらのリムーバブル記憶媒体にコンテンツデータが記憶されている場合，ＣＥ機器に挿入されたリムーバブル記憶媒体からコンテンツデータを読み取るようにしてもよい。ネットワークに接続されたＣＤ機器により，コンテンツデータに対応するコンテンツ関連情報を取得して，リムーバブル記憶媒体にコンテンツデータと関連付けて記憶するようにすれば，ユーザが入力等せずとも，リムーバブル記憶媒体に記憶されたコンテンツデータにコンテンツ関連情報を付加することができる。
【０１１９】
図１２は，本発明の情報処理装置に適用したＣＥ機器１００ｃの機能構成を示したブロック図である。また，本発明の外部記憶媒体に記憶媒体１５１を適用して説明する。記憶媒体１５１は，上述したリムーバブル記憶媒体等を例示できる。図１０に示したように，ＣＥ機器１００ｃは，処理制御部１６０，ユニーク識別情報１２６，通信部１２８などを備える。処理制御部１６０は，データ読み込み制御部１６２，信号処理部１６４，システムコントローラ１６６などを備える。
【０１２０】
ユニーク識別情報生成部１６８と通信部１７０は，上述したユニーク識別情報生成部と通信部とほぼ同様の機能を有する。処理制御部１６０に備わるデータ制御部１６２は，属性情報取得部１３４，関連情報記憶制御部１３８などとほぼ同様の機能を有し，記憶媒体１５１に記憶されたコンテンツデータの読み取りや，記憶媒体１５１にコンテンツ関連情報を書き込む制御を行う。信号処理部１６４は，復号部１０６と復号制御部１３６などとほぼ同様の機能を有する。また，システムコントローラ１６６は，ユニーク識別情報要求部１４０とコンテンツ関連情報要求部１４２とほぼ同様の機能を有し，ユニーク識別情報生成部１６８に属性情報やコンテンツデータを提供してユニーク識別情報の生成を要求したり，通信部１７０にコンテンツ関連情報の取得を要求したりする制御を行う。
【０１２１】
ＣＥ機器１００ｃを上記構成にすることにより，コンテンツデータが記憶された記憶媒体１５１をＣＥ機器に挿入するだけで，ＣＥ機器１００ｃにより記憶媒体１５１に記憶されたコンテンツデータが読み取られて，そのコンテンツデータに対応するコンテンツ関連情報が取得されて，記憶媒体１５１に記憶される。したがって，ユーザは，記憶媒体１５１を挿入する以外の操作をすることなく，記憶媒体１５１に記憶されたコンテンツデータにコンテンツ関連情報を付加することが可能となる。
【産業上の利用可能性】
【０１２２】
本発明は，接続された外部記憶媒体に記憶されたコンテンツデータを読み取る情報処理装置に適用可能であり，特に，外部記憶装置に記憶されたコンテンツデータに対応するコンテンツ関連情報を取得して外部記憶媒体に記憶する情報処理装置に適用可能である。
【図面の簡単な説明】
【０１２３】
【図１】本実施形態におけるコンテンツ関連情報提供システムの全体構成を示すブロック図である。
【図２】同実施の形態における情報処理装置のハードウェア構成例を概略的に示すブロック図である。
【図３】同実施の形態におけ外部記憶媒体のハードウェア構成例を概略的に示すブロック図である。
【図４】本発明の第１の実施形態にかかる情報処理装置の機能構成を示すブロック図である。
【図５】同実施の形態におけるユニーク識別情報の生成について説明する説明図である。
【図６】同実施の形態におけるコンテンツ関連情報の取得方法を示したフローチャートである。
【図７】本発明の第２の実施形態にかかる情報処理装置の機能構成を示すブロック図である。
【図８】同実施の形態における情報処理装置に備わる処理制御部の機能構成を示すブロック図である。
【図９】同実施の形態におけるコンテンツ関連情報の取得方法を示したフローチャートである。
【図１０】同実施の形態における外部記憶媒体に記憶されたコンテンツデータがＰＣＭデータである場合のコンテンツ関連情報の取得方法を示したフローチャートである。
【図１１】同実施の形態における外部記憶媒体に記憶されたコンテンツデータが圧縮コンテンツデータである場合のコンテンツ関連情報の取得方法を示したフローチャートである。
【図１２】本発明の変形例にかかるＣＥ機器の機能構成を示したブロック図である。
【符号の説明】
【０１２４】
１００      情報処理装置
１０４      コンテンツデータ記憶部
１０６      復号部
１２６      ユニーク識別情報生成部
１２８      通信部
１３２      接続検出部
１３４      属性情報取得部
１３６      復号制御部
１３７      コンテンツデータ記憶制御部
１３８      関連情報記憶制御部
１４０      ユニーク識別情報要求部
１４２      コンテンツ関連情報要求部
１５０      ＰＤ
２１１      外部記憶媒体
【図１】
2006277307.tif 000003
【図２】
2006277307.tif 000004
【図３】
2006277307.tif 000005
【図４】
2006277307.tif 000006
【図５】
2006277307.tif 000007
【図６】
2006277307.tif 000008
【図７】
2006277307.tif 000009
【図８】
2006277307.tif 000010
【図９】
2006277307.tif 000011
【図１０】
2006277307.tif 000012
【図１１】
2006277307.tif 000013
【図１２】
2006277307.tif 000014